(57)【要約】【課題】  簡単にハンドルにグリップを取り付けることができ、安価で、作業性にすぐれたグリップの取付方法および装置を提供する。【解決手段】  ハンドルＨの端部外周に軟質材から成る有底筒状のグリップＧを嵌着するグリップＧの取付方法であって、グリップＧの外径より大きな内径を有する有底筒状の保持具２にグリップＧを閉塞端側から挿入し、保持具２の開口端側の部分にグリップＧの開口端側の部分を気密させた状態で、保持具２に形成した該保持具２の内周空間に連通する吸引孔から保持具２の内面とグリップＧの外面との間のエアを吸引することによりグリップＧを拡径し、この状態でグリップＧをハンドルＨの端部外周に嵌着する。【選択図】  図１
2005059638.tif 000002
【特許請求の範囲】
【請求項１】
ハンドルの端部外周に軟質材から成る有底筒状のグリップを嵌着するグリップの取付方法であって、グリップの外径より大きな内径を有する有底筒状の保持具にグリップを閉塞端側から挿入し、保持具の開口端側の部分にグリップの開口端側の部分を気密させた状態で、保持具に形成した該保持具の内周空間に連通する吸引孔から保持具の内面とグリップの外面との間のエアを吸引することによりグリップを拡径し、この状態でグリップをハンドルの端部外周に嵌着することを特徴とするグリップの取付方法。
【請求項２】
グリップの外径より大きな内径を有する有底筒状の保持具と、この保持具に、該保持具の内周空間に連通するように形成した吸引孔と、この吸引孔に接続される吸引手段とを備えることを特徴とするグリップの取付装置。
【請求項３】
前記保持具の内底面にグリップの閉塞端に形成されている通気孔に嵌合する突起を設けることを特徴とする請求項２記載のグリップの取付装置。
【発明の詳細な説明】
【技術分野】
【０００１】
本発明は、例えば、自転車、自動二輪車、汎用機（芝刈り機や耕耘機）等のハンドルの端部外周にゴム等の軟質材から成る有底筒状のグリップを嵌着するグリップの取付方法および装置に関する。
【背景技術】
【０００２】
グリップは、通常、その内径をハンドルの外径より小さく形成することにより、ハンドルからの脱落を防止するように構成されている。
【０００３】
このため、グリップをハンドルに取り付けるためには、ハンドルを強制的にグリップ内に挿入してグリップを拡径しながら取付けなければならない。よって、グリップとハンドルとの摩擦抵抗が大きくなり、グリップをハンドルに取付けるには、大きな力を必要とする。そこで、従来、容易にグリップをハンドルに取り付けられるように、グリップの内部にエアを供給して、グリップの内径を拡径し、グリップをハンドルに取り付けるようにしたものが知られている。
【０００４】
これらの従来技術は、グリップの閉塞端側に設けられた通気孔からエアを供給するもの（例えば、特許文献１参照。）と、グリップのハンドル挿入用の開口端側からエアを供給するもの（例えば、特許文献２参照。）との二つの方式に大別される。
【０００５】
然し、グリップの閉塞端側に設けられた通気孔からエアを供給する方式では、ハンドルがパイプ製である場合、ハンドルの他端部からエアが漏れてしまうと、グリップの内径を拡径することができない。このため、ハンドルの他端部を塞ぐ作業が必要である。更に、ハンドルを構成するパイプの周壁に複数の孔が形成されている場合には、全ての孔を塞ぐ必要があり、作業工程が多く面倒である。また、エアがパイプ製のハンドル内に充填されるまで時間がかかり、また、大量のエアを供給する必要がある。さらに、エアの供給の音もかなり大きなもので作業者に大きな負担となっている。また、グリップ内に接着剤を塗布し固着力を上げる場合、エアの供給により接着剤が押し流され、接着剤がグリップの開口端側から漏れる場合がある。
【０００６】
ハンドル挿入用の開口端側からエアを供給する方式では、グリップを支持する支持台の下方からノズルによりグリップ内にエアを供給しグリップを膨らましハンドルに挿入するように構成されている。しかしながら、エアを供給するノズルの向きによってはグリップが支持台から浮き上がってしまったり、また、グリップをハンドルに取り付ける際に、ノズルがハンドルと干渉してしまうことがある。また、挿入の途中でグリップの開口端部がハンドルにより閉塞されていくため、ノズルからグリップ内に空気が十分に供給できなくなり、グリップの内径がもとの径に戻ってしまい、強制的に挿入しなければならなくなる場合もある。
【特許文献１】特公平１−５９９４９号公報（第１−２頁、第１図、第２図）
【特許文献２】特開平７−１２５６７３号公報（第２−３頁、第１図）
【発明の開示】
【発明が解決しようとする課題】
【０００７】
本発明は上記背景を鑑みてなされたものであり、簡単にハンドルにグリップを取り付けることができ、安価で、作業性にすぐれたグリップの取付方法および装置を提供することを目的とする。
【課題を解決するための手段】
【０００８】
上記目的を達成するため、本発明のグリップの取付方法は、ハンドルの端部外周に軟質材から成る有底筒状のグリップを嵌着するグリップの取付方法であって、グリップの外径より大きな内径を有する有底筒状の保持具にグリップを閉塞端側から挿入し、保持具の開口端側の部分にグリップの開口端側の部分を気密させた状態で、保持具に形成した該保持具の内周空間に連通する吸引孔から保持具の内面とグリップの外面との間のエアを吸引することによりグリップを拡径し、この状態でグリップをハンドルの端部外周に嵌着することを特徴とする。
【０００９】
また、本発明のグリップの取付装置は、グリップの外径より大きな内径を有する有底筒状の保持具と、この保持具に、該保持具の内周空間に連通するように形成した吸引孔と、この吸引孔に接続される吸引手段とを備えることを特徴とする。
【００１０】
かかる方法、および装置によれば、保持具の内面とグリップの外面との間のエアが吸引されることによりグリップが拡径するように構成されているため、ハンドルの仕様に影響されず、グリップを容易にハンドルに取り付けることができる。例えば、ハンドルが、パイプ製であり、グリップを嵌着する端部以外に孔があるような構造のものであっても、該孔を塞ぐことなく、グリップを容易にハンドルの端部外周に嵌着することができる。
【００１１】
また、グリップ内に接着剤を塗布し、グリップとハンドルとの固着力を上げる場合、本発明は、グリップの外面からエアを吸引してグリップを拡径しているため、グリップ内にエアを供給した場合のように、供給したエアにより接着剤が押し流され、接着剤がグリップ開口端側から漏れることはない。
【００１２】
また、従来技術の、ハンドル挿入用の開口端側からエアを供給するグリップの取付方法のように、グリップをハンドルに取り付けている最中に、ハンドルがグリップの開口端部を閉塞し、エアの供給が遮断されることにより、グリップの拡径が妨げられるということもない。
【００１３】
なお、グリップの閉塞端には、グリップをハンドルの端部外周に嵌着した際に、ハンドル内のエアが熱膨張したときのエアの逃げとなる通気孔が形成されている場合がある。グリップの閉塞端に、このような通気孔が形成されている場合には、前記保持具の内底面に、通気孔に嵌合する突起を設けることが好ましい。これにより、突起が通気孔と嵌合し気密を保持すると共に、グリップが保持具内で芯決めされる。
【発明を実施するための最良の形態】
【００１４】
以下、図１に示すハンドルＨの端部外周にグリップＧを嵌着するグリップ取付装置について説明する。
【００１５】
なお、図示のハンドルＨは、汎用機用のものである。また、グリップＧは、ゴムや軟質樹脂等の軟質材で有底筒状に形成されている。更に、グリップＧの閉塞端には、ハンドルＨ内のエアが熱膨張したときのエアの逃げとなる通気孔Ｇａ（図２参照）が形成され、また、グリップＧの開口端外周部には鍔部Ｇｂが形成されている。
【００１６】
グリップ取付装置は、有底筒状の保持具２と吸引手段としての吸引ポンプ３とを備えている。保持具２の内径は、グリップＧの外径よりも大きく形成されている。吸引ポンプ３は、保持具２の内周空間に連通するように形成された吸引孔２ａに、チューブ４ａを介して接続されている。チューブ４ａの途中には、継手５を介してチューブ４ｂが接続されている。チューブ４ｂは、保持具２の外周壁の吸引孔２ａと反対側の部分に設けられた大気開放弁６に接続されている。また、保持具２の内底面には、グリップＧの閉塞端の通気孔Ｇａに嵌合可能な突起２ｂが形成されている。
【００１７】
次いで、上記第１実施形態のグリップ取付装置を用いたグリップＧの取付方法について説明する。
【００１８】
まず、グリップＧをその閉塞端側から保持具２内に挿入する。このとき保持具２の突起２ｂが、グリップＧの通気孔Ｇａに嵌合して、通気孔Ｇａが閉塞されると共に、グリップＧが保持具２内で芯決めされる。また、保持具２の開口端にグリップＧの開口端側の部分である鍔部Ｇｂを押し付けて密着させ、気密性を確保する。なお、気密性をより確実なものとするために保持具２の開口端部をウレタン樹脂などでコーティングしてもよい。
【００１９】
次いで、大気開放弁６を閉弁する。そして、吸引ポンプ３により、チューブ４ａを介して吸引孔２ａから保持具２の内面とグリップＧの外面との間のエアを吸引する。これにより、グリップＧは、保持具２の内面に張り付くように拡径される。次いで、ハンドルＨをグリップＧ内へ挿入させる。ハンドルＨがグリップＧの閉塞端まで挿入されたところで、吸引ポンプ３の作動を停止すると共に、大気開放弁６を開弁し、チューブ４ｂを介して保持具２の内面とグリップＧの外面との間にエアを供給する。すると、グリップＧは元通りの径に戻り、グリップＧがハンドルＨの端部外周に嵌着される。
【００２０】
次いで、図３（ａ）、（ｂ）を参照して、第２実施形態について説明する。
【００２１】
第２実施形態は、開口端に鍔部Ｇｂが形成されていないグリップＧの取付けに適用されるものである。第２実施形態の保持具２の開口端部の内面には小径部２ｃが形成されている。他は第１実施形態と同一の構成であり、第１実施形態と同一の部分に上記と同一の符号を付してその説明を省略する。
【００２２】
第２実施形態のグリップ取付装置を用いてグリップＧをハンドルＨに嵌着させるには、まず、グリップＧを閉塞端側から保持具２内へ挿入したあと、図３（ｂ）に示すように、テーパー状の適宜の補助工具９をグリップＧに開口端側から挿入し、グリップＧの開口端側の部分を保持具２の小径部２ｃに密着させて、気密性を確保する。この後、吸引ポンプ３で吸引孔２ａから保持具２の内面とグリップＧの外面との間のエアを吸引する。これ以降は、第１実施形態と全て同様に行うことにより、グリップＧをハンドルＨに嵌着することができる。
【００２３】
両実施形態のグリップ取付方法および装置によれば、保持具２の内面とグリップＧの外面との間のエアを吸引することによりグリップＧを拡径させているため、ハンドルＨがグリップＧを嵌着する端部以外に孔があるような構造のものであっても、その孔を塞ぐことなく、グリップＧを容易にハンドルＨの端部外周に嵌着することができる。これにより、ハンドルの仕様に影響されず、グリップをハンドルに取り付けることができる。
【００２４】
また、グリップＧ内に接着剤を塗布し、グリップＧとハンドルＨとの固着力を上げる場合、両実施形態では、グリップＧの外面からエアを吸引してグリップＧを拡径しているため、グリップＧ内にエアを供給した場合のように、供給したエアにより接着剤が押し流され、接着剤がグリップＧの先端の開口端側から漏れることはない。
【００２５】
また、グリップＧ内に接着剤を塗布していない場合、グリップＧをハンドルＨへ嵌着する際に取付位置や方向を誤ったとしても、グリップＧに再び保持具２を被せて、グリップＧを拡径することにより容易に嵌着をやり直すことができる。
【００２６】
なお、上記実施形態において、ハンドルＨは汎用機用のものであるが、自転車や自動二輪車等の他のハンドルへのグリップの取付けにも同様に本発明を適用できる。
【図面の簡単な説明】
【００２７】
【図１】本発明の第１実施形態の全体構成を示す説明図。
【図２】第１実施形態の保持具にグリップを挿入した状態を示す説明的断面図。
【図３】本発明の第２実施形態の保持具にグリップを挿入した状態を示す説明的断面図。
【符号の説明】
【００２８】
２…保持具、  ２ａ…吸引孔、  ２ｂ…突起、  ２ｃ…小径部、  ３…吸引ポンプ、  ４ａ，４ｂ…チューブ、  ５…継手、  ６…大気開放弁、  ９…補助工具、  Ｇ…グリップ、  Ｇａ…通気孔、  Ｇｂ…鍔部、  Ｈ…ハンドル。
【図１】
2005059638.tif 000003
【図２】
2005059638.tif 000004
【図３】
2005059638.tif 000005